(57)【要約】      （修正有）【課題】入浴中の乳児に寒い思いをさせないと共に、当該乳児の親自身も体や頭髪を洗う時間を十分に確保することができる乳児入浴補助具を提供する。【解決手段】乳児入浴補助具は、乳児を安定保持する乳児保持部と、浴槽の淵に乳児入浴補助具を固定する、コの字型をした浴槽固定部と、を備える。乳児保持部は、下部に、乳児の足を浴槽の底方向に出せるようにした２つの穴を備え、浴槽固定部は、コの字型部分に、浴槽の淵の幅に応じてコの字型部分の幅調節ができる機構と、コの字型部分が浴槽の淵と接触する部分に、滑り止め機構と、を備える。乳児保持部と浴槽固定部とが一体となり、同一の材質である。【選択図】図１
0003166673.tif 000002
【実用新案登録請求の範囲】
【請求項１】
乳児を安定保持する乳児保持部と、
浴槽の淵に当該乳児入浴補助具を固定する、コの字型をした浴槽固定部と、を備え、
前記乳児保持部は、下部に、前記乳児の足を前記浴槽の底方向に出せるようにした２つの穴を備え、
前記浴槽固定部は、
前記コの字型部分に、前記浴槽の淵の幅に応じて該コの字型部分の幅調節ができる機構と、
前記コの字型部分が前記浴槽の淵と接触する部分に、滑り止め機構と、を備え、
前記乳児保持部と前記浴槽固定部とが一体となり、同一の材質であることを特徴とする乳児入浴補助具。
【考案の詳細な説明】
【技術分野】
【０００１】
乳児の入浴を補助する器具に関する技術である。
【背景技術】
【０００２】
昨今、一人親の世帯が増加している。そのような状況下、母親又は父親が乳児と共に入浴する場合、共に入浴している乳児の世話をする必要があるため、当該母親又は父親はゆっくり自分自身の体や頭髪などを洗うことができない。特に冬場になると、浴室の室温が低く、乳児の体温を下げないためにも当該母親又は父親はゆっくり自分自身の体や頭髪を洗うことができないという状況が有る。
【考案の概要】
【考案が解決しようとする課題】
【０００３】
そのような状況を鑑み、本考案では、入浴中の乳児に寒い思いをさせないと共に、当該乳児の親自身も体や頭髪を洗う時間を十分に確保することができる乳児入浴補助具を提供することを目的とする。
【課題を解決するための手段】
【０００４】
開示する乳児入浴補助具の一形態は、乳児を安定保持する乳児保持部と、浴槽の淵に当該乳児入浴補助具を固定する、コの字型をした浴槽固定部と、を備え、前記乳児保持部は、下部に、前記乳児の足を前記浴槽の底方向に出せるようにした２つの穴を備え、前記浴槽固定部は、前記コの字型部分に、前記浴槽の淵の幅に応じて該コの字型部分の幅調節ができる機構と、前記コの字型部分が前記浴槽の淵と接触する部分に、滑り止め機構と、を備え、前記乳児保持部と前記浴槽固定部とが一体となり、同一の材質であることを特徴とする。
【考案の効果】
【０００５】
開示する乳児入浴補助具は、入浴中の乳児に寒い思いをさせないと共に、当該乳児の親自身も体や頭髪を洗う時間を十分に確保することができる。
【図面の簡単な説明】
【０００６】
【図１】本実施の形態に係る乳児入浴補助具の側面図である。
【図２】本実施の形態に係る乳児入浴補助具の平面図である。
【図３】本実施の形態に係る乳児入浴補助具が備える浴槽固定部の拡大図である。
【図４】本実施の形態に係る乳児入浴補助具の使用状態図である。
【考案を実施するための形態】
【０００７】
図面を参照しながら、本考案を実施するための形態について説明する。
（本実施の形態に係る乳児入浴補助具の構造）
図１、２を用いて、本実施の形態に係る乳児入浴補助具１の構造について説明する。図１は乳児入浴補助具１の全体を示した側面図であり、図２は乳児入浴補助具１の全体を示した平面図である。図１で示すように、乳児入浴補助具１は、乳児保持部１０、浴槽固定部２０を備えている。
【０００８】
乳児保持部１０は、乳児を安定的に保持できるよう機能を有する。図２で示すように、乳児保持部１０の内部は空洞となっている。また、乳児保持部１０は、底面（下部）に、乳児が足を出すための穴３０が２つ設けられている。
【０００９】
浴槽固定部２０は、乳児入浴補助具１を浴槽６０の淵に固定するための機能を有し、コの字型の形態である。浴槽固定部２０のコの字型部分には、浴槽６０の淵の幅に応じてコの字部分の幅を調節するための幅調節機構４０が備えられる。図３で示すように幅調節機構４０は、浴槽６０の淵の幅に応じて、幅調節機構４０をねじのように回転させることによって開け閉めできる機構であっても良く、ばねの力を利用して開け閉めできる機構であっても良い。
【００１０】
浴槽固定部２０のコの字型部分の浴槽６０の淵と接触する部分には、滑り止め機構５０が備えられる。図３で示すように滑り止め機構５０は、浴槽６０の淵と接触する部分の形状を凸凹にして滑り止め機能を備えるようにしても良く、ゴムのように滑り難い材質にして滑り止め機能を備えるようにしても良い。
（本実施の形態に係る乳児入浴補助具の使用方法）
【００１１】
図４を用いて、本実施の形態に係る乳児入浴補助具１の使用方法について説明する。図４は、乳児入浴補助具１の使用状態を説明するための図である。図４で示すように、浴槽固定部２０を浴槽６０の淵に取り付け、幅調整機構４０を使用して、浴槽固定部２０のコの字型部分の幅を浴槽６０の淵の幅に合うように調節する。
【００１２】
乳児入浴補助具１の浴槽６０への取り付けが終了した後、乳児の足を穴３０に挿入し、乳児の体を乳児保持部２０の内部空洞へ安置する。乳児保持部２０に安置された乳児は、浴槽６０の淵の方を向いていても良く、浴槽６０の淵に背を向けていても良い。このとき、乳児保持部２０に安置された乳児の体重によって、浴槽固定部２０には浴槽６０の内向き及び下向きの力が加わり、乳児入浴補助具１はより強固に浴槽６０に固定される。
【００１３】
このように乳児を安全・安定的に入浴させておくことができるため、乳児入浴補助具１は、入浴中の乳児に寒い思いをさせないと共に、当該乳児の親自身も安心して体や頭髪を洗う時間を十分に確保することができる。
【００１４】
以上、本考案の実施の形態について詳述したが、本考案は係る特定の実施の形態に限定されるものではなく、実用新案登録請求の範囲に記載された本考案の要旨の範囲において、種々の変形・変更が可能である。
【符号の説明】
【００１５】
１    乳児入浴補助具
１０  乳児保持部
２０  浴槽固定部
３０  乳児が足を出す穴
４０  幅調節機構
５０  滑り止め機構
６０  浴槽
【図１】
0003166673.tif 000003
【図２】
0003166673.tif 000004
【図３】
0003166673.tif 000005
【図４】
0003166673.tif 000006
【手続補正書】
【提出日】平成23年1月7日(2011.1.7)
【手続補正１】
【補正対象書類名】実用新案登録請求の範囲
【補正対象項目名】全文
【補正方法】変更
【補正の内容】
【実用新案登録請求の範囲】
【請求項１】
乳児を安定保持する乳児保持部と、
浴槽の淵に前記乳児保持部を固定する、コの字型をした浴槽固定部と、を備え、
前記乳児保持部は、下部に、前記乳児の足を前記浴槽の底方向に出せるようにした２つの穴を備え、
前記浴槽固定部は、
前記コの字型部分に、前記浴槽の淵の幅に応じて該コの字型部分の幅調節ができる機構と、
前記コの字型部分が前記浴槽の淵と接触する部分に、滑り止め機構と、を備え、
前記乳児保持部と前記浴槽固定部とが一体となり、同一の材質であることを特徴とする乳児入浴補助具。